(57)【要約】【課題】工具箱としての必要なデプスを確保するとともに、ステップの間隔をＩＳＯの推奨値内に収めるために工具箱本体の上面以外にその工具箱本体の上面と履帯との間に別のステップを必要に応じて作り出し、楽な姿勢でハウスカバーの上に昇ることが可能な工具箱兼用ステップを提供することを課題とする。【解決手段】下部走行体上に上部旋回体を旋回可能に装架し、該上部旋回体の外周部に昇降用ステップを配した土木・建設機械において、上部旋回体に前面部又は側面部を開口した工具箱本体を装着し、該工具箱本体の開口を覆う蓋材を工具箱本体の下端部に蝶着するとともに、該工具箱本体と蓋材の間に円弧状のガイドを設けて該蓋材を前記蝶着点回りに略９０度開閉可能にし、該蓋材が開状態において該蓋材の上面と前記工具箱本体の上面を踏面とすることにより、ステップ間隔をＩＳＯの推奨値内に収めるようにした。【選択図】    図４
2004238916.tif 000002
【特許請求の範囲】
【請求項１】
下部走行体上に上部旋回体を旋回可能に装架し、該上部旋回体の外周部に昇降用ステップを配した土木・建設機械において、上部旋回体に前面部又は側面部を開口した工具箱本体を装着し、該工具箱本体の開口を覆う蓋材を開閉可能に蝶着して、該蓋材が開状態において該蓋材の上面と前記工具箱本体の上面を踏面としたことを特徴とする土木・建設機械の工具箱兼用ステップ装置。
【請求項２】
前記蓋材が開状態において、該蓋材の踏面が前記工具箱本体の下面と略面一になるようにしたことを特徴とする請求項１記載の土木・建設機械の工具箱兼用ステップ装置。
【請求項３】
前記蓋材と工具箱本体を夫々下端部で蝶着し、該工具箱本体の側面に設けたピンに接して摺動する長孔を有する円弧状のガイドの一端を前記蓋材の側面上部に固設し、該蓋材を前記蝶着点回りに略９０度開閉可能にしたことを特徴とする請求項１又は請求項２記載の土木・建設機械の工具箱兼用ステップ装置。
【発明の詳細な説明】
【０００１】
【発明の属する技術分野】
この発明は、油圧ショベル等の土木・建設機械のステップ装置に関するもので、特に工具箱兼用のステップ装置に関するものである。
【０００２】
【従来技術】
従来油圧ショベル等の土木・建設機械においては、上部旋回体に搭載されたエンジン、油圧機器、燃料タンク及び作動油タンク等を保護するためにハウスカバーが設けられている。そしてエンジンのメンテナンスや燃料タンクへの給油及び作動油の交換等はハウスカバーの上にオペレータ又はサービスマンが昇って行うため、上部旋回体には複数段のステップが設けられている。この複数段のステップのうち最下段のステップは通常上部旋回体を構成する旋回フレームに固着されており、オペレータ又はサービスマンは先ず履帯の上に乗り、そして旋回フレームに固着された最下段のステップに足を掛け、更にその上のステップを使ってハウスカバーの上に昇るため、ＩＳＯにより理想的なステップ間隔が定められ、例えば階段では１８０ｍｍ、梯子では３００ｍｍ程度が理想とされている。一方、油圧ショベル等の土木・建設機械は狭隘な場所で使用されたり、作業現場間の輸送を考慮して旋回半径の超小化や外観形状寸法の小型化が図られ、逆に燃料タンクや作動油タンクは補充・交換時間が長くなるように大容量化が図られてきたため上部旋回体のハウスカバー内に工具箱の設置場所を設けることが困難になってきた。その結果、通常ステップを取り付ける位置に工具箱を取り付け、その工具箱をステップの代わりに使用するものも出現してきた（例えば、特許文献１参照）。
【０００３】
【特許文献１】
特開平８−１００４４４号公報（第２−３頁、図１乃至図６）。
【０００４】
しかし、この特許文献１に開示されているステップ兼用工具箱は、上面部を開口した箱型に形成し、その上面部に踏面用の蓋板をヒンジ部材により開閉可能に装着したり、前面部又は側面部を開口した箱型に形成し、その開口した前面部又は側面部にカバー用の蓋板を設けたものである。一般に工具箱には工具を入れるため適当なデプスが必要であり、そのため履帯から踏面である工具箱の上面までの高さＨが高くなりすぎ、オペレータ又はサービスマンが昇る際に膝及び足先を無理に高く上げる必要が生じ、その結果姿勢に無理を生じ、事故を誘発する頻度が高くなる等危険な状態に置かれる可能性があった。一方、ステップ高さをＩＳＯの推奨値に収めようとすると十分な工具箱のデプスをとることができず、全ての工具を収納できないという問題が生ずる。
【０００５】
【発明が解決しようとする課題】
本発明は上記事実に鑑みなされたものであり、その目的は工具箱としての必要なデプスを確保するとともに、ステップの間隔をＩＳＯの推奨値内に収めるために工具箱本体の上面以外にその工具箱本体の上面と履帯との間に別のステップを必要に応じて作り出し、楽な姿勢でハウスカバーの上に昇ることが可能な工具箱兼用ステップを提供するために解決すべき技術的課題が生じてくるのであり、本発明はこの課題を解決することを目的とする。
【０００６】
【課題を解決するための手段】
本発明は上記目的を達成するために提案されたものであり、請求項１記載の発明は下部走行体上に上部旋回体を旋回可能に装架し、該上部旋回体の外周部に昇降用ステップを配した土木・建設機械において、上部旋回体に前面部又は側面部を開口した工具箱本体を装着し、該工具箱本体の開口を覆う蓋材を開閉可能に蝶着して、該蓋材が開状態において該蓋材の上面と前記工具箱本体の上面を踏面とした土木・建設機械の工具箱兼用ステップ装置である。
【０００７】
また、請求項２記載の発明は、蓋材が開状態において、該蓋材の踏面が工具箱本体の下面と略面一になるようにした土木・建設機械の工具箱兼用ステップ装置である。
【０００８】
そして、請求項３記載の発明は、蓋材と工具箱本体を夫々下端部で蝶着し、該工具箱本体の側面に設けたピンに接して摺動する長孔を有する円弧状のガイドの一端を前記蓋材の側面上部に固設し、該蓋材を前記蝶着点回りに略９０度開閉可能にした土木・建設機械の工具箱兼用ステップ装置である。
【０００９】
【発明の実施の形態】
以下本発明の実施形態を図１乃至図４に基づいて説明する。
図１は本発明を採用した油圧ショベル全体側面図を示し、図２は本発明の実施形態に係る工具箱兼用ステップ取付部斜視図を示す。また、図３は本発明の実施形態に係る工具箱閉状態のステップ側面図を示し、図４は本発明の実施形態に係る工具箱開状態のステップ側面図を示す。
【００１０】
図１において、１は履帯１ａを履いた下部走行体で、該下部走行体１には上部旋回体２が旋回可能に装架されている。そして該上部旋回体２を構成する旋回フレーム２ａの前部には、一側部にキャブ３が載置され、中央部にアタッチメント４が俯仰動可能に枢着され、他側に燃料タンク、作動油タンク及び油圧機器（図示せず）が載置され、該燃料タンク、作動油タンク及び油圧機器の周囲にはこれらを保護するハウスカバー５が取り付けられている。
【００１１】
図２において、ハウスカバー５には少なくとも一つ以上のステップ６ａ、６ｂ………が固設され、また、オペレータやサービスマンが昇降する際の転落を防止するハンドレール７が設けられている。そして、前記上部旋回体２の前部には、前面部に開口を設けた工具箱８が取り付けられている。
【００１２】
図３において、上部旋回体２に固設した工具箱本体８ａと該工具箱本体８ａの開口を覆う蓋材８ｂを夫々の下端部で蝶番８ｃにより開閉可能に蝶着し、該工具箱本体８ａの側面に設けたピン８ｅに接して摺動する長孔を有する円弧状のガイド８ｄの一端が前記蓋材８ｂの側面上部に固設され、該蓋材８ｂは前記蝶着点回りに略９０度開閉可能になっている。そして、図３は該蓋材８ｂが閉状態を示し、この図３に示す状態においては、工具箱８に設けられた踏面は工具箱本体８ａの上面１ヶ所だけであり、工具箱８のデプスを確保しようとすると工具箱本体８ａの上面と履帯１ａの上面との高さＨが比較的大きくなりＩＳＯの推奨値を超えてしまい、オペレータやサービスマンが昇る際に危険を伴う恐れがある。
【００１３】
次に、図４は前記蓋材８ｂを開状態にした場合を示し、図３の閉状態から前記蓋材８ｂを図の右回りに回動させると、該蓋材８ｂは蝶番８ｃを支点として開き始め、前記ガイド８ｄは工具箱本体８ａに設けたピン８ｅ上を摺動して前記蓋材８ｂが略９０度回動したところで前記ピン８ｅがストッパーとして機能し、前記ガイド８ｄの長孔の端が前記ピン８ｅに当接して前記蓋材８ｂの回動が停止する。この図４に示す状態においては、前記工具箱８に設けられた踏面は工具箱本体８ａの上面と蓋材８ｂの上面の２箇所あり、該蓋材８ｂの踏面は前記工具箱本体８ａの下面と略面一となる。該工具箱本体８ａの下面の位置及びデプスを適当に決めることにより、前記蓋材８ｂの踏面と履帯１ａの上面との高さｈ及び前記工具箱本体８ａの上面と蓋材８ｂの踏面の高さ（Ｈ−ｈ）を自由に設定することが可能になり、オペレータやサービスマンはハウスカバーと履帯又は地面間の昇降が容易になる。
【００１４】
次に本発明の作用を説明する。
通常の作業時においては、前記蓋材８ｂは図３の状態、すなわち閉状態にあり、該蓋材８ｂは図示されていないロック装置により工具箱本体８ａにロックされており、旋回等により工具箱８の中に収納してある工具類が工具箱８から外に飛び出したり、落下することはない。次に、作業を中止してメンテナンス等のためハウスカバー上に昇るときは、地上から直接又は履帯１ａの上に昇り、前記工具箱８のロック装置を解錠すると前記蓋材８ｂを開けることが可能になり、該蓋材８ｂに固設されているガイド８ｄが前記工具箱本体８ａの側面に取り付けられているピン８ｅに接して摺動し、該蓋材８ｂは蝶番８ｃを支点として約９０度回動し、前記ガイド８ｄに開穿された長孔の端が前記ピン８ｅに当接して停止する。
【００１５】
この状態でオペレータ又はサービスマンは履帯１ａから前記蓋材８ｂの踏面に一方の足を掛けると共にハンドレール７を手で掴み、次に他方の足を前記工具箱本体８ａの踏面に掛けることにより、更に上のステップ６ａ、６ｂ及びハウスカバーの上に容易に昇ることができる。逆にハウスカバーの上から地上に降りるときもステップ６ｂ、６ａから前記工具箱本体８ａの踏面、蓋材８ｂの踏面及び履帯１ａを介して容易に地上に降りることが可能になる。
【００１６】
上記実施態様は、工具箱本体８ａの前面部に開口を設け、該開口を覆う蓋材８ｂを前後方向に回動可能に装着したが、工具箱本体８ａの側面部に開口を設け、該開口を覆う蓋材８ｂ’を左右方向に回動することも可能であることは言うまでもない。
【００１７】
更に、本発明は、本発明の精神を逸脱しない限り種々の改変を為すことができ、そして、本発明が該改変されたものに及ぶことは当然である。
【００１８】
【発明の効果】
この発明は、上記一実施形態に於いて詳述した構成により、作業時には工具箱本体及び蓋材を本来の工具収納箱としての機能を持たせると共に、メンテナンス時には工具箱本体及び蓋材をステップとして用いることができ、特に蓋材を開けて踏面とすることにより、履帯と工具箱上面の間に別の踏面を作り出すことができるためステップ間隔を狭くすることができる。そのためオペレータやサービスマンは楽な姿勢で昇降でき、転落等の危険を防止できる等きわめて顕著な効果を奏する。
【図面の簡単な説明】
【図１】本発明を採用した油圧ショベル全体側面図
【図２】本発明の実施形態に係る工具箱兼用ステップ取付部斜視図
【図３】本発明の実施形態に係る工具箱閉状態のステップ側面図
【図４】本発明の実施形態に係る工具箱開状態のステップ側面図
【図５】従来のステップ兼用工具箱
【符号の説明】
１              下部走行体
１ａ      履帯
２              上部旋回体
２ａ      旋回フレーム
３              キャブ
４          アタッチメント
５          ハウスカバー
６ａ、６ｂ    ステップ
７            ハンドレール
８          工具箱
８ａ      工具箱本体
８ｂ            蓋材
８ｃ      蝶番
８ｄ      ガイド
８ｅ      ピン
【図１】
2004238916.tif 000003
【図２】
2004238916.tif 000004
【図３】
2004238916.tif 000005
【図４】
2004238916.tif 000006
【図５】
2004238916.tif 000007